(57)【要約】【課題】場所を問わず、医療従事者に患者の医療に関する情報を的確に提示することができる情報記録媒体を提供する。【解決手段】ＩＣカード１は、ユーザの医療情報を記憶する記憶部１１と、ユーザ本人であるか否かを認証する生体認証部１３と、医療従事者が所持するＩＣタグから医療従事者ＩＤを読み取るＲＦＩＤ部１６と、ユーザ本人であると認証された場合又は医療従事者ＩＤが読み取られた場合に限り、記憶部１１が記憶する医療情報の内容を電子ペーパからなる表示窓に表示する表示制御部１３と、読み取られた医療従事者ＩＤに基づいて、医療情報の閲覧レベルを決定する閲覧レベル決定部（制御部１０）と、を備える。表示制御部１３は、決定された閲覧レベルに従って、医療情報の内容を表示窓に表示する。【選択図】図２
2010039872.tif 000002
【特許請求の範囲】
【請求項１】
特定ユーザの医療に係る医療情報を記憶する記憶手段と、
所定の表示素子で構成される表示窓と、
利用者の操作指示を受け付ける操作手段と、
利用者の生体情報を検出する生体情報検出センサと、
該生体情報検出センサが検出した前記生体情報に基づいて、当該利用者が前記特定ユーザであるか否かを認証する認証手段と、
医療従事者が所持するＩＣタグと無線通信を行い、前記ＩＣタグから当該医療従事者の職種を示す医療従事者ＩＤを読み取るＲＦＩＤ手段と、
前記認証手段によって特定ユーザであると認証された場合又は前記ＲＦＩＤ手段により医療従事者ＩＤが読み取られた場合に限り、前記操作手段が受け付けた当該利用者の操作指示に応じて、前記記憶手段が記憶する前記医療情報の内容を前記表示窓に表示する表示手段と、
前記ＲＦＩＤ手段により読み取られた前記医療従事者ＩＤが示す職種に基づいて、当該利用者が前記表示窓を介して前記医療情報を閲覧できるレベルを決定する閲覧レベル決定手段と、を備え
前記表示手段は、前記閲覧レベル決定手段による決定結果に従って、前記医療情報の内容を前記表示窓に表示する、
ことを特徴とする情報記録媒体。
【請求項２】
外部装置と所定の入出力インタフェースによりデータの授受を行うデータ入出力手段をさらに備える、
ことを特徴とする請求項１に記載の情報記録媒体。
【請求項３】
前記記憶手段は、救急活動を実施する救急活動機関が備えるサーバのネットワークアドレスをさらに記憶し、
前記操作手段が所定の操作指示を受け付けた場合、前記サーバに救急を依頼するためのメッセージを送信する救急通報手段をさらに備える、
ことを特徴とする請求項１に記載の情報記録媒体。
【請求項４】
前記救急通報手段による前記メッセージの送信が正常に行われなかった場合、所定の態様で警報を行う警報手段をさらに備える、
ことを特徴とする請求項３に記載の情報記録媒体。
【請求項５】
前記警報手段は、断続的に警報音を出力させ、又は、断続的に警報光を発光させることで警報を行う、
ことを特徴とする請求項４に記載の情報記録媒体。
【請求項６】
前記生体情報検出センサは、利用者の指紋を検出する、
ことを特徴とする請求項１に記載の情報記録媒体。
【請求項７】
前記表示素子は、電子ペーパで構成される、
ことを特徴とする請求項１に記載の情報記録媒体。
【請求項８】
前記電子ペーパの表示方式は、マイクロカプセル型電気泳動方式である、
ことを特徴とする請求項７に記載の情報記録媒体。
【発明の詳細な説明】
【技術分野】
【０００１】
本発明は、患者の医療に関する情報を医療従事者に的確に提供できるようにする情報記録媒体に関する。
【背景技術】
【０００２】
従来より、病院等の多くの医療機関では、初診者に対して、診療の前に、現在の自覚症状はもとより、既往症、服用中の薬についての情報、アレルギーの有無等を問診票に記入させ、これを実際の診療に役立てようとしているのが一般的である。
【０００３】
しかしながら、患者自身が、既往症等について具体的な内容（実際の治療方法等のカルテに記載されるような内容）を把握していることは極めて希であり、患者自らが、事細かに問診票に記入したり、あるいは医師に対して、詳細に説明するのは困難である。
【０００４】
これに対し、例えば、特許文献１には、各患者について、医療機関の利用ごとの、症状や医師の所見、処置内容、投与薬物などの情報（カルテ情報）が蓄積されたカルテ管理サーバと、各医療機関等に配置される端末装置とを備えた医療情報システムが提案されている。
【０００５】
この医療情報システムでは、医師等の医療従事者は、診療対象である特定の患者のカルテ情報を、端末装置を使って、カルテ管理サーバから取得することができる。
【特許文献１】特開２００２−７３８０７号公報
【発明の開示】
【発明が解決しようとする課題】
【０００６】
ところで、救急車で患者を搬送中など、緊急時において、当該患者に適切な救急処置を施すことは、病状の悪化を抑止する等の観点から極めて重要である。
【０００７】
これに関し、特許文献１には、上記端末装置が救急車に搭載され、医療従事者は、これを使用して、該当者のカルテ情報をカルテ管理サーバから取得でき、救急車内においても、適切な処置が行える旨の記載がある。
【０００８】
しかしながら、上記特許文献１に開示される技術では、情報を一元管理するカルテ管理サーバからデータ通信によってカルテ情報を取得するため、通信障害や、カルテ管理サーバの障害等が発生すると、カルテ情報を取得することができない。また、外出中に突然疾病し、居合わせた医師等の医療従事者に救急処置を施してもらう場合では、このシステムを利用する患者であっても、上記端末装置がないため、カルテ情報を当該医療従事者に提供することができない。
【０００９】
本発明は、上記問題を解決すべくなされたものであり、場所を問わず、医療従事者に患者の医療に関する情報を的確に提示することができる情報記録媒体を提供することを目的とする。
【課題を解決するための手段】
【００１０】
本発明に係る情報記録媒体は、
特定ユーザの医療に係る医療情報を記憶する記憶手段と、
所定の表示素子で構成される表示窓と、
利用者の操作指示を受け付ける操作手段と、
利用者の生体情報を検出する生体情報検出センサと、
該生体情報検出センサが検出した前記生体情報に基づいて、当該利用者が前記特定ユーザであるか否かを認証する認証手段と、
医療従事者が所持するＩＣタグと無線通信を行い、前記ＩＣタグから当該医療従事者の職種を示す医療従事者ＩＤを読み取るＲＦＩＤ手段と、
前記認証手段によって特定ユーザであると認証された場合又は前記ＲＦＩＤ手段により医療従事者ＩＤが読み取られた場合に限り、前記操作手段が受け付けた当該利用者の操作指示に応じて、前記記憶手段が記憶する前記医療情報の内容を前記表示窓に表示する表示手段と、
前記ＲＦＩＤ手段により読み取られた前記医療従事者ＩＤが示す職種に基づいて、当該利用者が前記表示窓を介して前記医療情報を閲覧できるレベルを決定する閲覧レベル決定手段と、を備え
前記表示手段は、前記閲覧レベル決定手段による決定結果に従って、前記医療情報の内容を前記表示窓に表示する、ことを特徴とする。
【００１１】
上記構成に加えて、外部装置と所定の入出力インタフェースによりデータの授受を行うデータ入出力手段をさらに備えてもよい。
【００１２】
また、前記記憶手段は、救急活動を実施する救急活動機関が備えるサーバのネットワークアドレスをさらに記憶し、
前記操作手段が所定の操作指示を受け付けた場合、前記サーバに救急を依頼するためのメッセージを送信する救急通報手段をさらに備える構成にするのが好ましい。
【００１３】
また、前記救急通報手段による前記メッセージの送信が正常に行われなかった場合、所定の態様で警報を行う警報手段をさらに備えてもよい。
【００１４】
上記の場合、前記警報手段は、断続的に警報音を出力させ、又は、断続的に警報光を発光させることで警報を行うようにしてもよい。
【００１５】
好ましくは、前記生体情報検出センサは、利用者の指紋を生態情報として検出する。
【００１６】
前記表示素子は、好ましくは電子ペーパで構成される。
【００１７】
この場合、前記電子ペーパの好ましい表示方式として、マイクロカプセル型電気泳動方式が採用できる。
【発明の効果】
【００１８】
以上の如く、本発明によれば、場所を問わず、医療従事者に患者の医療に関する情報を的確に提示することができる。
【発明を実施するための最良の形態】
【００１９】
以下、本発明に係る情報記録媒体と、これを利用した医療支援サービスの一実施形態について図面を参照して説明する。
【００２０】
図１は、本実施形態の医療支援サービスの提供を受けるために、患者が所持する必要のある専用のＩＣカード１（情報記録媒体）の外観を示している。このＩＣカード１は、例えば、国等の公的な機関（以下、カード発行機関という。）によって、原則として、１ユーザに１枚発行される。
【００２１】
図１に示すように、ＩＣカード１の一方の面には、表示素子２と、機能ボタン３，４と、選択ボタン５と、通報ボタン６と、生体認証用パッド７と、スピーカ８と、発光部９と、を備える。
【００２２】
表示素子２は、例えば、所定のギャップを挟んで対向する少なくとも一方が光透過する２枚のシートと、当該シートの間に充填される光学的反射濃度や色の異なる１種類もしくは複数の帯電した顔料粒子を封入したマイクロカプセルと、からなる電子ペーパで構成される。この表示素子２の制御方式（表示方式）としては、上記マイクロカプセルに電界もしくは磁界を印加することにより、顔料粒子をシート内で移動させ、光学的反射濃度や色を変化させる電気泳動方式や磁気泳動方式が好適である。なお、表示素子２を構成する電子ペーパとして、ツイスティングボール、相安定液晶、ＣＮ液晶、トナーディスプレイ、電子粉流体等の方式も採用できる。
【００２３】
機能ボタン３（Ｆ１ボタン）は、当該ＩＣカード１の所有者（患者）あるいは医療従事者が、表示素子２に当該患者の医療に係る情報（医療情報）等を表示させる際に使用するボタンであり、機能ボタン４（Ｆ２ボタン）は、当該患者がＩＣカード１の所定機能の設定変更を行う際に使用するボタンである。
【００２４】
選択ボタン５は、表示素子２に各種情報を表示する際、所望の表示項目を選択したり、表示情報をページスクロールさせたりする場合等に使用される。
【００２５】
通報ボタン６は、詳細は後述するが、救急車の手配等、当該患者に対する救急を依頼するために使用されるボタンである。
【００２６】
生体認証用パッド７は、利用者の指紋（例えば、右手親指）を検出する指紋センサとして機能する。また、生体認証用パッド７は、電源投入ボタンとしても機能する。
【００２７】
スピーカ８は、例えば、圧電素子から構成される圧電スピーカであり、主として、通報ボタン６が押下された際、所定の条件の下で、ブザー音やアラーム音等の警報音を出力する。
【００２８】
発光部９は、例えば、有機ＥＬ（エレクトロルミネッセンス）素子で構成され、主として、通報ボタン６が押下された際、所定の条件の下で、発光を行う。
【００２９】
図２は、ＩＣカード１の内部構成を示すブロック図である。ＩＣカード１は、図２に示すように制御部１０と、記憶部１１と、生体認証部１２と、表示制御部１３と、操作部１４と、救急通報部１５と、ＲＦＩＤ部１６と、データ入出力処理部１７と、電源部１８と、を備える。
【００３０】
制御部１０は、ＣＰＵ、ＲＯＭ、ＲＡＭ等を備え、ＲＯＭに格納された又はデータ入出力処理部１７等を介して取得した制御プログラムに従って、ＩＣカード１全体の動作を制御する。また、制御部１０のＲＯＭには、カード発行機関から付与された当該ユーザのユーザＩＤが記憶されている。
【００３１】
記憶部１１は、フラッシュメモリ等の半導体メモリから構成される。記憶部１１は、当該ユーザ（患者）の個人情報、医療情報、利用可能ユーザＩＤ、診察券情報、救急通報先情報等を記憶する。個人情報には、氏名、生年月日、性別、連絡先（自宅住所、電話番号等）、生体認証用データ等が含まれる。生体認証用データは、本実施形態では、当該ユーザの右手親指の指紋データである。医療情報は、当該ユーザの医療に係る情報であり、詳細には、既往症や現在の診療履歴についての情報、薬品等に対するアレルギーについての情報、親族の病歴や遺伝についての情報等を含む。
【００３２】
利用可能ユーザＩＤは、ＩＣカード１を使用できる者の職種を示すＩＤである。ＩＣカード１の使用とは、例えば、記憶部１１に記憶されている当該ユーザの医療情報を表示素子２を介して閲覧したり、あるいは、ＩＣカード１に外部装置とのデータ授受を行わせたりすることを意味する。本実施形態では、ＩＣカード１は、当該ユーザを除いては、医療従事者に限って使用することが可能である。
【００３３】
ここで、医療従事者とは、医師、歯科医師、看護師、薬剤師、救急救命士、病院職員（例えば、診療窓口担当）等、医療に従事する者やその関係者をいう。各医療従事者には、その職種毎に固有のＩＤが、カード発行機関より付与されており、各医療従事者は、自己の職種を示すＩＤデータが記憶されたＩＣタグを身に付けているものとする。なお、詳細は後述するが、医療従事者の職種毎に、ＩＣカード１の使用についての権限が設定されている。
【００３４】
診察券情報とは、初診時等に病院によって供給されるデータであり、当該病院についての情報（名称、連絡先など）と、患者についての情報（当該病院で付与した患者識別番号など（上記ユーザＩＤと同一であってもよい））と、を含む。
【００３５】
通報先情報は、通報ボタン６が押下された際に通報する宛先（通報先）についての情報を示す。通報先情報には、救急活動代表機関（例えば、消防署の代表機関）情報と、所望通報先情報とが含まれる。救急活動代表機関情報は、予め、ＩＣカード１の発行時にカード発行機関により登録されている情報である。救急活動代表機関情報には、救急活動代表機関の名称、電話番号、ネットワークアドレス等が含まれる。一方、所望通報先情報は、ユーザが任意に登録できる情報である。例えば、掛かり付けの医師（病院）や親族等の情報（名称又は氏名、ユーザ本人との関係、電話番号、電子メールアドレス、所在地又は住所等）がこれに該当する。
【００３６】
記憶部１１に記憶される各情報は、制御部１０により、図３に示すように、その属するグループ別に階層的に管理される。ここで、各グループの閲覧及び更新制限について説明する。先ず、閲覧（即ち、表示素子２への表示）制限について説明する。「個人情報」、「利用可能ユーザＩＤ」、「診察券情報」、「通報先情報」については、特に制限はなく、当該ユーザ及び何れの医療従事者も閲覧権限を有する。さらに、詳細は後述するが、通報ボタン６が押下された際には、自動的に個人情報の一部が表示素子２に表示される。
【００３７】
「医療情報」については、当該ユーザ、医師、歯科医師及び看護師のみが、全ての項目を閲覧する権限を有する。救急救命士は、既往症、診療履歴及びアレルギーの項目のみ閲覧することが可能である。薬剤師は、診療履歴及びアレルギーの項目のみ閲覧することが可能である。その他の医療従事者は、医療情報を閲覧することはできない。
【００３８】
続いて、更新制限について説明する。先ず、「個人情報」については、当該ユーザのみが更新権限を有する。「医療情報」については、医師又は歯科医師のみが更新可能である。「利用可能ユーザＩＤ」については、何れの医療従事者も更新することができない。「診察券情報」については、病院職員のみが更新可能である。「通報先情報」の「救急活動代表機関」については、何れの医療従事者も更新することができないが、「所望通報先」については、当該ユーザのみが更新可能である。
【００３９】
図２に戻り、生体認証部１２は、生体認証用パッド７が検出した指紋と予め登録されているユーザの指紋との照合を行い、ユーザの認証を行う。ユーザの指紋（本例では、右手親指の指紋）は、予め採取され、指紋データとして、記憶部１１に記憶されている。
【００４０】
表示制御部１３は、制御部１０の指令に従って、記憶部１１に保存されている情報を上述した表示方式にて電子ペーパで構成される表示素子２に表示する。操作部１４は、図１の機能ボタン３，４、選択ボタン５、通報ボタン６の操作有無（ユーザによる押下有無）を検出し、かかる検出結果を制御部１０に供給する。
【００４１】
救急通報部１５は、データ送信部１５０と、発光制御部１５１と、警報音制御部１５２と、を備え、通報ボタン６が押下された際、制御部１０の指令に従って、救急を依頼するための各種処理（救急通報処理）を実行する。データ送信部１５０は、通報先情報に含まれる救急活動代表機関宛に救急依頼データを所定の通信方式にて送信する。
【００４２】
図４は、ＩＣカード１を使用した救急通報システムの構成を示す概略図である。図４に示すように、この救急通報システムは、ＩＣカード１と、救急活動代表機関に設置されるサーバ２０と、消防署毎に設置されるサーバ３０と、複数の地点に設置されるアクセスポイントＡＰと、を備える。サーバ２０、サーバ３０は、ワークステーション等のコンピュータである。サーバ２０、各サーバ３０及び各アクセスポイントＡＰは、所定のデータ通信網であるネットワークＮに接続する。
【００４３】
ユーザ等により通報ボタン６が押下されると、ＩＣカード１のデータ送信部１５０は、所定の無線通信方式にて、最寄りのアクセスポイントＡＰに接続し、該アクセスポイントＡＰを介して、サーバ２０に救急依頼データを送信する。
【００４４】
送信される救急依頼データには、当該ユーザのユーザＩＤ、氏名、住所等が含まれる。サーバ２０は、救急依頼データを受信すると、対応する消防署のサーバ３０に救急を依頼する緊急メッセージを送信する。より詳細には、救急活動代表機関のサーバ３０は、当該救急依頼データを中継したアクセスポイントＡＰの設置位置と、ユーザの自宅住所とに基づいて、当該通報の場所が、ユーザの自宅であるか否かの判定を行う。サーバ２０は、当該通報の場所が、ユーザの自宅であると判定した場合には、救急の現場位置をユーザの自宅住所に設定した緊急メッセージを当該住所に対応する消防署のサーバ３０に送信する。一方、当該通報の場所が、ユーザの自宅でないと判定した場合には、サーバ２０は、救急の現場位置を当該アクセスポイントＡＰの設置位置に設定した緊急メッセージを当該設置位置に対応する消防署のサーバ３０に送信する。
【００４５】
かかる緊急メッセージを受けた消防署は、設定された救急の現場位置に向けて救急車を出動させる。
【００４６】
データ送信部１５０は、上記救急依頼データの送信処理を救急活動代表機関のサーバ３０が正常に受信できるまで、一定時間毎に繰り返し行う。但し、ユーザ等により、再度、通報ボタン６が押下されると、制御部１０は、救急通報部１５による救急通報処理を中止する。
【００４７】
図２に戻り、発光制御部１５１は、通報ボタン６が押下された際、制御部１０の指令に従って、発光部９を断続発光させる。より具体的には、データ送信部１５０の通信可能エリア内にアクセスポイントＡＰが存在しない等の理由により、救急依頼データの送信ができない場合、制御部１０は、発光制御部１５１に制御信号を送出する。かかる制御信号を受けた発光制御部１５１は、発光部９を制御して、断続発光させる。
【００４８】
同様に、警報音制御部１５２は、通報ボタン６が押下された際に、救急依頼データの送信ができない場合、制御部１０の指令に従って、スピーカ６から警報音を断続的に出力する。
【００４９】
このような断続発光や警報音の断続出力により、ユーザは、救急依頼データの送信ができない旨を容易に認識でき、また、周囲の者に異常事態である旨を察知させることもできる。
【００５０】
また、救急通報部１５は、通報ボタン６が押下されると、当該ユーザの氏名、ユーザＩＤ等のユーザを特定する情報と、救急が必要である旨を示す情報を表示制御部１３を介して表示素子２に表示する。これにより、救急依頼データの送信ができず、しかも、容態が悪く、携帯電話等を使って当該ユーザが自ら通報できない状態であっても、周囲の者に救急車の手配をしてもらうことが可能となる。
【００５１】
なお、救急通報部１５は、通報先情報に所望通報先の情報が含まれている場合には、これも表示素子２に表示してもよい。
【００５２】
ＲＦＩＤ部１６は、ＲＦＩＤ（Radio Frequency Identification）方式にて、他のＩＣタグと無線通信を行い、ＩＣタグから送信された変調波を図示しないアンテナ（例えば、平面ループアンテナ）を介して受信し、受信した変調波を増幅して復調し、復調により得られたデータ（ＩＤデータ）を制御部１０に供給する。
【００５３】
データ入出力処理部１７は、ＩＣカード１の表面に設けられた図示しない接触電極を介して、外部装置とデータの入出力を行う。具体的に説明すると、ＩＣカード１と外部装置とのデータの入出力は、専用のカードリーダライタを使用して行われる。図５（ａ）は、ユーザ端末とデータの授受を行う場合の例を示す。ここでは、専用のカードリーダライタ４０は、パーソナルコンピュータ等の汎用の情報処理装置であるユーザ端末５０とＵＳＢケーブル等の汎用ケーブル６０を介して接続される。
【００５４】
この場合、ＩＣカード１がカードリーダライタ４０のカード挿入口４１から挿入され、セットされると、ＩＣカード１の接触電極は、カードリーダライタ４０の図示しない接触端子と直接接触する。これにより、ＩＣカード１に対するデータの入出力が可能となる。ユーザは、ユーザ端末５０の図示しない入力装置（キーボード、マウス等）を操作して、当該ユーザの「個人情報」項目や「通報先情報」の「所望通信先」項目の内容をＩＣカード１からカードリーダライタ４０を介して取得させ、あるいは、これらの項目の内容を更新させることができる。なお、制御部１０は、生体認証部１２により当該ユーザが認証された場合に限り、データ入出力処理部１７に、ユーザ端末５０とＩＣカード１との間のデータ入出力処理の実行を許可する。
【００５５】
また、例えば、医師用端末とデータの授受を行う際には、図５（ｂ）に示すように、カードリーダライタ４０は、汎用ケーブル６０を介して医師用端末７０に接続される。医師用端末７０は、パーソナルコンピュータ等の汎用の情報処理装置であり、例えば、病院の各診察室に設置され、医師によって使用される。
【００５６】
医師によって、ＩＣカード１がカードリーダライタ４０にセットされた後、医師用端末７０の図示しない入力装置（キーボード、マウス等）が操作されることで、例えば、患者の診療情報（病名、処置情報、処方箋情報）が、医師用端末７０からカードリーダライタ４０を介してＩＣカード１に送信される。また、医師は、医師用端末７０を操作することで、「医療情報」の内容を適宜、編集することができる。
【００５７】
また、ＩＣカード１から当該患者の医療情報をカードリーダライタ４０を介して取得させ、取得した医療情報を医師用端末７０が備える図示しないモニタ等に表示させることもできる。なお、制御部１０は、ＲＦＩＤ部１６によって取得された利用者のＩＤが医師を示すＩＤである場合に限り、データ入出力処理部１７に、医師用端末７０とＩＣカード１との間のデータ入出力処理の実行を許可する。
【００５８】
また、ＩＣカード１のユーザは、機能ボタン４（Ｆ２ボタン）を使用した機能設定により、予め、データ入出力処理部１７によるデータ入出力処理の実行を禁止させることもできる。かかる機能設定について、以下、図６（ａ）〜（ｃ）を参照して説明する。ユーザにより生体認証用パッド７が押下され、ユーザが認証されると、制御部１０は、表示制御部１３を制御して、図６（ａ）に示すような初期画面を表示素子２に表示する。
【００５９】
ここで、ユーザにより機能ボタン４（Ｆ２ボタン）が押下されると、制御部１０は、表示制御部１３を制御して、図６（ｂ）に示すような操作対象項目を表示素子２に表示する。ユーザは、選択ボタン５を使って所望の操作対象項目を選択することができる。ここで、ユーザにより「個人情報」又は「医療情報」が選択され、機能ボタン３（Ｆ１ボタン）が押下されると、図６（ｃ）に示すように、当該選択項目について、入力又は出力処理を実行できるか否かを設定する画面に移行する。
【００６０】
図６（ｃ）の画面において、「読み出し」又は「書き込み」項目については、ユーザにより選択され、Ｆ１ボタンが押下される度に、“ＯＫ”と“ＮＧ”が交互に切り替わる。ここで“ＯＫ”ならば、データ入出力処理部１７による当該処理（読み出し（即ち、出力処理）あるいは書き込み（即ち、入力処理））が、実行可能であることを意味し、“ＮＧ”ならば、実行不可能であることを意味する。なお、図６（ｂ），図６（ｃ）の画面において、「戻る」項目が選択され、Ｆ１ボタンが押下されると、それぞれ前画面に移行する。
【００６１】
図２に戻り、電源部１８は、例えば、リチウムイオンポリマー二次電池や有機ラジカル電池等のフレキシブル電池で構成され、ＩＣカード１の上記各構成部に電力を供給する。電源部１８による電力の供給は、生体認証用パッド７がタッチされるか、又は、通報ボタン６が押下されることで開始される。
【００６２】
生体認証用パッド７がタッチされて電源が投入されると、制御部１０は、生体認証部１２に、電源を投入したユーザの認証処理を実行させる。また、制御部１０は、ＲＦＩＤ部１６を起動させ、他のＩＣタグからＩＤデータを取得する処理を実行させる。その結果、ユーザが認証されず、さらに、利用可能ユーザＩＤに該当するＩＤデータが取得できなかった場合、制御部１０は、表示制御１３を制御して、使用できない旨を示すメッセージを表示素子２に表示させ、しかる後、電源部１８に電力の供給を停止させ、電源をオフにする。
【００６３】
また、制御部１０は、電源部１８による電力供給の開始後、ユーザ等により操作が行われない状態が一定時間続くと、電源部１８に電力の供給を停止させる。
【００６４】
続いて、ＩＣカード１の記憶部１１に記憶されている各種情報の閲覧について説明する。上述したように、当該ユーザを除いては、医療従事者に限って、ＩＣカード１に記憶されている医療情報等の当該ユーザの情報を閲覧することが可能である。医療従事者は、図７に示すように、身分証明書であるＩＤカード８０を携帯する（例えば、紐を通して首にかける）。ＩＤカード８０には、ＩＣタグ８１が取り付けられている。ＩＣタグ８１は、メモリを備えたＩＣチップとアンテナ（何れも図示せず）を搭載し、ＲＦＩＤ方式にて、ＩＣカード１と無線通信を行う。このＩＣチップのメモリには、当該医療従事者の職種を示すＩＤデータが記憶されている。
【００６５】
ＩＣカード１の制御部１０は、生体認証パッド７が何者かによってタッチされ、電源が投入されると、当該電源投入者の閲覧権限を識別し、識別した閲覧権限に基づいて、閲覧制限の程度（閲覧制限レベル）を決定する処理（立ち上げ処理）を実行する。図８は、立ち上げ処理の手順を示すフローチャートである。先ず、電源が投入されると、制御部１０は、生体認証部１２に、ユーザの認証処理を実行させると共に、ＲＦＩＤ部１６を起動させ、ＩＣタグ８１からＩＤデータを取得する処理を実行させる。
【００６６】
生体認証部１２によりユーザが本人であることが認証されると（ステップＳ１０１でＹＥＳ）、制御部１０は、閲覧制限レベルにユーザ本人に対応した値を設定する（ステップＳ１０２）。この場合、閲覧制限レベルには、閲覧に制限が無い（即ち、全情報が閲覧可能である）ことを示す値（例えば、“０”）が設定される。これにより、ユーザ本人は、記憶部１１に記憶されている全情報（「個人情報」、「医療情報」、「利用可能ユーザＩＤ」、「診察券情報」、「通報先情報」）の内から所望の情報を適宜選択して閲覧することができる。
【００６７】
次に、制御部１０は、表示制御部１３を制御して、図６（ａ）に示すような初期画面を表示素子２に表示する（ステップＳ１０３）。一方、電源投入者がユーザ本人でない場合（ステップＳ１０１でＮＯ）、制御部１０は、ＲＦＩＤ部１６によりＩＤデータが取得できたか否かをチェックする（ステップＳ１０４）、その結果、ＩＤデータが取得できなかった場合（ステップＳ１０４でＮＯ）、制御部１０は、表示制御部１３を制御して、使用できない旨を示すメッセージ（エラーメッセージ）を表示素子２に所定時間表示し（ステップＳ１０５）、その後、電源部１８に電力の供給を停止させ、電源をオフにする（ステップＳ１０６）。
【００６８】
ＲＦＩＤ部１６によりＩＤデータが取得できた場合（ステップＳ１０４でＹＥＳ）、制御部１０は、取得したＩＤを記憶部１１に記憶する利用可能ユーザＩＤと照合し、指定された医療従事者か否かの判定を行う（ステップＳ１０７）。その結果、当該電源投入者が、指定された医療従事者でない場合（ステップＳ１０７でＮＯ）、制御部１０は、エラーメッセージを所定時間表示し、電源をオフにする（ステップＳ１０５、ステップＳ１０６）。
【００６９】
一方、当該電源投入者が、指定された医療従事者である場合（ステップＳ１０７でＹＥＳ）、制御部１０は、閲覧制限レベルに当該医療従事者の職種に対応した値を設定する（ステップＳ１０８）。例えば、当該医療従事者が、医師、歯科医師又は看護師である場合、閲覧制限レベルには、ユーザ本人と同様、閲覧に制限が無いことを示す値（例えば、“０”）が設定される。また、当該医療従事者が救急救命士である場合、「医療情報」の「親族の病歴」及び「遺伝」項目について閲覧が禁止されていることを示す値（例えば、“１”）が設定される。また、当該医療従事者が薬剤師である場合には、「医療情報」の「既往症」、「親族の病歴」及び「遺伝」項目について閲覧が禁止されていることを示す値（例えば、“２”）が設定され、その他の医療従事者である場合には、「医療情報」の全項目を閲覧できないことを示す値（例えば、“３”）が設定される。
【００７０】
制御部１０は、閲覧制限レベルを決定すると、表示制御部１３を制御して、図９に示すような医療従事者用の初期画面を表示素子２に表示する（ステップＳ１０９）。医療従事者用の初期画面では、医療従事者が当該ユーザ（患者）の特定をし易くするため、当該ユーザの個人情報の一部を表示する。
【００７１】
ユーザ本人又は医療従事者により、図６（ａ）又は図９の初期画面において、機能ボタン３（Ｆ１）ボタンが押下されると、制御部１０により、図１０（ａ）に示すような、記憶部１１に記憶されている各種情報の大項目が表示される。ユーザ本人又は医療従事者は、選択ボタン５を使って所望の項目を選択することができる。項目の選択後、機能ボタン３（Ｆ１ボタン）が押下されると、選択した項目の下位階層の項目あるいは情報が表示される。なお、「戻る」項目が選択され、Ｆ１ボタンが押下されると前画面に戻る。
【００７２】
例えば、図１０（ａ）の画面で「医療情報」項目が選択され、Ｆ１ボタンが押下されると、図１０（ｂ）に示すように、さらに下位の項目が表示される。なお、当該医療従事者が閲覧制限を受けている場合には、制御部１０は、該当する項目を非表示にしたり、あるいは、非選択状態（グレー表示）にする。
【００７３】
当該ユーザに既往症がある場合、図１０（ｂ）の画面で、ユーザ本人又は医療従事者により、「既往症」項目が選択され、Ｆ１ボタンが押下されると、図１０（ｃ）に示すように、さらに下の階層の項目（即ち、当該ユーザの病歴）が表示される。図１０（ｃ）の例では、当該ユーザは、「心筋梗塞」、「狭心症」及び「気管支炎」を患っていたことが示されている。さらに、これらの病名項目の何れかを選択し、Ｆ１ボタンが押下されると、当該病気の治療実績が表示される。図１０（ｄ）の画面は、「心筋梗塞」の治療実績の表示例を示している。
【００７４】
以上説明したように、本実施形態に係るＩＣカード１（情報記録媒体）は、当該ユーザの医療情報を内部に蓄積して記憶し、医療従事者にこれを閲覧させる機能を有する。したがって、医療従事者は、当該患者の救急に必要な情報を直ちに取得することができる。また、患者の医療データを管理するサーバ等からデータを取得するための端末装置等を必要とせず、医療従事者は、医療従事者であることを示すＩＤを記憶したＩＣタグを所持していれば、場所を問わず、情報を閲覧することができる。これにより、例えば、当該ユーザが外出中に突然疾病した場合でも、居合わせた医師等の医療従事者は、当該患者の医療情報を容易に入手できるため、適切な救急処置を施すことが可能となる。
【００７５】
また、本実施形態に係るＩＣカード１は、ユーザ本人であるか否かを認証する機能と、利用者が医療従事者であるか否かを識別する機能を備え、これにより、ＩＣカード１の使用権限を決定し、情報の閲覧や外部装置とのデータの入出力処理に制限を加えている。したがって、権限のない第三者への不正な情報流出や、情報内容の不正改ざん等を効果的に防止できる。
【００７６】
また、本実施形態に係るＩＣカード１は、消防署等の救急活動機関に救急を依頼するための救急通報機能を備えているため、容態が悪く、電話等を使用して通報できない状態であっても、容易に救急の依頼をすることが可能である。
【００７７】
尚、本発明は、上記実施形態に限定されるものではなく、本発明の要旨を逸脱しない範囲での種々の変更は勿論可能である。
【００７８】
例えば、ＩＣカード１とカードリーダライタ４０との間のデータの授受は、非接触のデータ通信方式（例えば、ＲＦＩＤ方式）により行われてもよい。
【００７９】
また、ユーザの認証方法は、指紋照合に限定されず、例えば、音声照合、声紋照合、虹彩照合等も採用できる。
【図面の簡単な説明】
【００８０】
【図１】本発明の一実施形態に係るＩＣカードを説明するための図である。
【図２】図１のＩＣカードの内部構成を示すブロック図である。
【図３】記憶部に記憶される各種情報の管理構造を示す概念図である。
【図４】図１のＩＣカード使用した救急通報システムの構成を示す概略図である。
【図５】図１のＩＣカードと外部装置との間のデータの入出力を説明するための図であり、（ａ）は外部装置がユーザ端末である場合、（ｂ）は外部装置が医師用端末である場合を示す。
【図６】図１のＩＣカードの機能設定を説明するための画面例であり、（ａ）は初期画面、（ｂ）は操作対象項目表示画面、（ｃ）は設定画面を示す。
【図７】図１のＩＣカードの閲覧機能を説明するための図である。
【図８】図１のＩＣカードが実行する立ち上げ処理を説明するためのフローチャートである。
【図９】医療従事者用の初期画面例である。
【図１０】図１のＩＣカードの閲覧機能を使用する際に表示される画面例であり、（ａ）は大項目表示画面、（ｂ）は（ａ）の下位画面の一例、（ｃ）は（ｂ）の下位画面の一例、（ｄ）は（ｃ）の下位画面の一例を示す。
【符号の説明】
【００８１】
１    ＩＣカード
２    表示素子
３    機能ボタン（Ｆ１ボタン）
４    機能ボタン（Ｆ２ボタン）
５    選択ボタン
６    通報ボタン
７    生体認証用パッド
８    スピーカ
９    発光部
１０  制御部
１１  記憶部
１２  生体認証部
１３  表示制御部
１４  操作部
１５  救急通報部
１５０  データ送信部
１５１  発光制御部
１５２  警報音制御部
１６  ＲＦＩＤ部
１７  データ入出力処理部
２０，３０  サーバ
４０  カードリーダライタ
４１  カード挿入口
５０  ユーザ端末
６０  汎用ケーブル
７０  医師用端末
８０  ＩＤカード
８１  ＩＣタグ
【図１】
2010039872.tif 000003
【図２】
2010039872.tif 000004
【図３】
2010039872.tif 000005
【図４】
2010039872.tif 000006
【図５】
2010039872.tif 000007
【図６】
2010039872.tif 000008
【図７】
2010039872.tif 000009
【図８】
2010039872.tif 000010
【図９】
2010039872.tif 000011
【図１０】
2010039872.tif 000012